(57)【要約】【課題】受信が途絶えた通話着信の発信元への電話のかけ直しを、容易に行うことができる携帯電話機を実現する。【解決手段】携帯電話機（１、１ａ）は、通話着信時に応答せずに、該通話着信が終了すると、疑似鳴動を指示する疑似鳴動処理部（３２）と、疑似鳴動を実行中に、操作部（４１）が操作を受け付けたとき、上記通話着信の発信元に通話発信を行う発信部（３５）と、を備えている。【選択図】図１
2017038180.tif 000002
【特許請求の範囲】
【請求項１】
通話着信時に着信鳴動する鳴動部と、操作受付部とを備えた携帯電話機であって、
上記通話着信時に応答せずに、該通話着信が終了したとき、上記着信鳴動に続いて疑似鳴動を上記鳴動部に指示する鳴動指示部と、
上記鳴動部が上記疑似鳴動を実行している間に、上記操作受付部が操作を受け付けたとき、上記通話着信の発信元に通話発信を行う発信部と、
を備えていることを特徴とする携帯電話機。
【請求項２】
予め登録されている発信者からの通話着信の場合のみ、上記鳴動指示部は上記疑似鳴動を上記鳴動部に指示することを特徴とする請求項１に記載の携帯電話機。
【請求項３】
自機の動きを検出する動き検出部を備え、
上記鳴動指示部は、上記通話着信中に、上記検出部が所定の動きを検出したとき、上記疑似鳴動を上記鳴動部に指示することを特徴とする請求項１または２に記載の携帯電話機。
【請求項４】
通話着信時に着信鳴動する鳴動部と、操作受付部とを備えた携帯電話機の制御方法であって、
上記通話着信時に応答せずに、該通話着信が終了したとき、上記着信鳴動に続いて疑似鳴動を上記鳴動部に指示する鳴動指示ステップと、
上記鳴動部が上記疑似鳴動を実行している間に、上記操作受付部が操作を受け付けたとき、上記通話着信の発信元に通話発信を行う発信ステップと、
を含むことを特徴とする携帯電話機の制御方法。
【請求項５】
請求項１から３の何れか１項に記載の携帯電話機としてコンピュータを機能させるためのプログラムであって、上記鳴動指示部および上記発信部としてコンピュータを機能させるためのプログラム。
【発明の詳細な説明】
【技術分野】
【０００１】
本発明は、通話着信信号を受信した場合に鳴動する携帯電話機に関する。
【背景技術】
【０００２】
これまでに、携帯電話機が通話着信したにもかかわらず、ユーザが着信通話に応答できなかった場合に、通話着信があったことをユーザに通知するための処理を実行する携帯電話機が開発されている。例えば、特許文献１に開示されている携帯電話は、通話着信があり、操作手段によって操作がされなかった場合に、その後、一定時間間隔で携帯電話を鳴動させる。該携帯電話は上記鳴動を一定回数繰り返すことにより、通話着信があったことを所有者に知らせる。
【先行技術文献】
【特許文献】
【０００３】
【特許文献１】特開2005−287088号公報（２００５年１０月１３日公開）
【発明の概要】
【発明が解決しようとする課題】
【０００４】
しかしながら、上述のような従来技術は、応答しなかった通話着信についてユーザに知らせることを目的とした技術である。すなわち、上述のような従来技術では、ユーザが応答する意思があっても応答できなかった通話着信に対する、ユーザの電話のかけ直しをサポートすることはできない。
【０００５】
本発明は、上記の問題点に鑑みてなされたものであり、その目的は、受信が途絶えた通話着信の発信元への電話のかけ直しを、容易に行うことができる携帯電話機を提供することにある。
【課題を解決するための手段】
【０００６】
上記の課題を解決するために、本発明の一態様に係る携帯電話機は、通話着信時に着信鳴動する鳴動部と、操作受付部とを備えた携帯電話機であって、上記通話着信時に応答せずに、該通話着信が終了したとき、上記着信鳴動に続いて疑似鳴動を上記鳴動部に指示する鳴動指示部と、上記鳴動部が上記疑似鳴動を実行している間に、上記操作受付部が操作を受け付けたとき、上記通話着信の発信元に通話発信を行う発信部と、を備えている。
【０００７】
また、上記の課題を解決するために、本発明の一態様に係る携帯電話機の制御方法は、通話着信時に着信鳴動する鳴動部と、操作受付部とを備えた携帯電話機の制御方法であって、上記通話着信時に応答せずに、該通話着信が終了したとき、上記着信鳴動に続いて疑似鳴動を上記鳴動部に指示する鳴動指示ステップと、上記鳴動部が上記疑似鳴動を実行している間に、上記操作受付部が操作を受け付けたとき、上記通話着信の発信元に通話発信を行う発信ステップと、を含む。
【発明の効果】
【０００８】
本発明の一態様によれば、受信が途絶えた通話着信の発信元に対して、容易に電話のかけ直しを行うことができるという効果を奏する。
【図面の簡単な説明】
【０００９】
【図１】本発明の実施形態１に係る携帯電話機の要部構成を示すブロック図である。
【図２】（ａ）および（ｂ）は、本発明の実施形態１に係る携帯電話機の概要を示す図である。
【図３】本発明の実施形態１に係る携帯電話機の処理の流れの例を示すフローチャートである。
【図４】本発明の実施形態２に係る携帯電話機の要部構成を示すブロック図である。
【図５】本発明の実施形態２に係る携帯電話機の処理の流れの例を示すフローチャートである。
【発明を実施するための形態】
【００１０】
以下、本発明の実施の形態について、図１〜５を参照しながら、詳細に説明する。
【００１１】
〔実施形態１〕
〔本実施形態の概要〕
本実施形態の概要について図２を用いて説明する。図２は、本発明の実施形態１に係る携帯電話機１の処理の概要を示す図である。図２の（ａ）は、携帯電話機１の着信鳴動から疑似鳴動への切り替えを示す図である。図２の（ｂ）は、疑似鳴動中の携帯電話機１が実行する通話発信の一例を示す図である。
【００１２】
図２の（ａ）に示すように、携帯電話機１は、通話着信時に応答の操作入力がされず通話着信が終了したとき、上記着信鳴動に続いて疑似鳴動を実行する。詳細に説明すると、携帯電話機１は通話着信時に、着信鳴動に対応した着信音である着信音１０を出力することで、着信鳴動を実行する。通話着信に応答する操作入力が行われず通話着信が終了すると、携帯電話機１は着信音１０とは異なる疑似鳴動に対応した着信音である疑似着信音１１を出力し疑似鳴動を実行する。また、疑似鳴動の実行中においては、疑似鳴動が実行中であることを示すために、携帯電話機１のタッチパネル４に「○○さん疑似着信中」と表示される。ここで、疑似着信とは、実際には、通話着信していないが、あたかも通話着信しているように携帯電話機１が鳴動することを意味している。タッチパネル４に表示されている「〇〇さん」は、終了した通話着信の発信元を示している。終了した通話着信の発信元とは、換言すると、着信履歴における最新の履歴の発信元である。また、タッチパネル４には、「疑似着信応答」等が表示されている。次に、図２の（ｂ）に示すように、疑似鳴動が実行している間に、例えば、ユーザの指２０等が「疑似着信応答」にタッチすると、携帯電話機１は、終了した通話着信の発信元である「〇〇さん」に通話発信を行う。ここで、疑似着信応答とは、携帯電話機１が疑似鳴動を実行している間にユーザが疑似鳴動に応答する操作入力を行うことによって、終了した通話着信の発信元に通話発信を行うことを示している。
【００１３】
上記の構成によれば、例えば、通話着信の時間が短い、ユーザが通話着信に応答する操作に手間取る、ユーザが携帯電話機をすぐに取り出せない等の理由から、ユーザに通話着信に応答する意思があるにもかかわらず、ユーザが通話着信に応答できなかった場合において次の効果を奏する。すなわち、ユーザは疑似鳴動が実行されている間に、簡易な操作を行うだけで、受信が途絶えた通話着信の発信元に対して、容易に電話のかけ直しを行うことができる。
【００１４】
〔携帯電話機１の構成〕
次に、携帯電話機１の構成について図１を用いて説明する。図１は携帯電話機１の要部構成を示すブロック図である。携帯電話機１は、通信部２、制御部３、タッチパネル４、タイマ５、着信音出力部（鳴動部）６および記憶部７を備えている。
【００１５】
通信部２は、携帯電話機１が外部の電話機と通信するためのものである。通信部２は、通話着信を示す着信信号を受信すると、該信号を制御部３の着信処理部３１に送信する。
【００１６】
また、通信部２は、通話処理を行う通話処理部（図示せず）の指示に従い、通話相手の電話機に対してユーザの声等の音声データを送信する。
【００１７】
なお、携帯電話機１の通話中に、携帯電話機１に対して着信号が送信された場合、基地局は携帯電話機１が通話中であることを検知し、着信信号を送信した相手電話機に、携帯電話機１が通話中である旨のメッセージを送信してもよい。
【００１８】
タッチパネル４は、ユーザからの入力操作を受け付ける操作部（操作受付部）４１および画面表示を行う表示部４２を備えている。操作部４１は、表示部４２の表示画面に対するユーザの接触操作を検出して、接触操作についての操作信号を、制御部３に供給する。表示部４２の表示画面において、ユーザの接触した位置を検出する方法は、特に限定されない。表示部４２は、画像データを表示するための表示画面を有しており、制御部３から画像信号を受信し、受信した画像信号に基づいてその表示画面に画像を表示するものである。表示部４２は画像を表示する機能を備えているものであればよく、例えばＬＣＤ（Liquid Crystal Display）表示装置、ＥＬ（Electro Luminescence）表示装置等で構成することもできる。
【００１９】
なお、本明細書では、携帯電話機１および１ａが、表示部４２および操作部４１であるタッチパネル４を備えている構成について例示するが、本発明はこれに限定されるものではない。例えば、表示部４２と操作部４１とが異なる位置に設置されている構成であってもよい。当該構成においては、例えば、操作部４１に操作入力用のキーが備わっている構成であってもよい。
【００２０】
制御部３は、携帯電話機１の各部を統括して制御するものである。制御部３は、着信処理部３１、疑似鳴動処理部（鳴動指示部）３２、表示制御部３３、着信音制御部３４、発信部３５および通話処理部（図示せず）を備えている。
【００２１】
着信処理部３１は、通話着信時に、通話着信に応答する操作入力を検出せず、該通話着信が終了したとき、通話着信の発信元を示すユーザ情報（例えば、電話番号）を含む通話着信終了の情報を疑似鳴動処理部３２に送信する。
【００２２】
詳細に説明すると、操作部４１に通話着信に応答する操作が入力されると、着信処理部３１は当該入力を示す情報を、操作部４１から受信する。当該入力を示す情報を受信せずに、着信信号が途絶えた場合、着信処理部３１は通話着信の終了を示す情報を疑似鳴動処理部３２に送信する。また、着信処理部３１は通話着信時に、着信音制御部３４を介して着信音出力部６に着信鳴動に対応した着信音である着信音１０を出力させる。すなわち、着信処理部３１は通話着信時に着信鳴動を指示する。また、着信処理部３１は通話着信時に、表示制御部３３を介して表示部４２に着信鳴動実行時に対応した画像を表示するように指示する。
【００２３】
疑似鳴動処理部３２は、通話着信時に応答せずに、通話着信が終了したとき、着信鳴動に続いて疑似鳴動を実行するように着信音出力部６に指示する。
【００２４】
また、疑似鳴動処理部３２は、予め登録されている発信者から通話着信を受けた場合のみ、疑似鳴動の実行を着信音出力部６に指示してもよい。詳細に説明すると、疑似鳴動処理部３２は通話着信の終了を示す情報を受信すると、通話着信の発信元が疑似鳴動処理を行う対象に登録されているか否かを、記憶部７に格納されている電話帳データ８と上記ユーザ情報とから判断する。電話帳データ８には、疑似鳴動を行う対象者が登録されている。疑似鳴動を行う対象者の登録は、ユーザによって予め行われてもよい。疑似鳴動処理部３２は、終了した通話着信の発信元が、疑似鳴動処理を行う対象として登録されていることを判断すると、疑似鳴動に対応した疑似着信音の出力（例えば、図２に示す疑似着信音１１の出力）を、着信音制御部３４を介して着信音出力部６に指示する。また、疑似鳴動処理部３２は、表示制御部３３を介して表示部４２に疑似鳴動の実行に対応した画像（図２を参照）の表示を指示する。
【００２５】
また、疑似鳴動処理部３２は、疑似鳴動が実行されている間に、操作部４１が操作を受け付けたとき、通話着信の発信元に通話発信を行うように発信部３５に指示する。詳細に説明すると、着信音出力部６が疑似鳴動を実行している間、操作部４１における疑似鳴動（疑似着信）に応答する操作入力を操作部４１から受信する。疑似鳴動処理部３２が、疑似鳴動に応答する操作入力を検出すると、疑似鳴動の終了を着信音制御部３４および表示制御部３３に指示し、終了した着信通話の発信元に通話発信を行うように発信部３５に指示する。
【００２６】
また、疑似鳴動処理部３２は、疑似鳴動を指示してから、所定の時間が経過したか否かを、タイマ５を参照して判断する。所定の時間が経過した場合、疑似鳴動処理部３２は、着信音制御部３４を介し着信音出力部６に疑似鳴動に対応した疑似着信音の出力の終了を指示する。また、疑似鳴動処理部３２は、表示制御部３３を介し表示部４２に疑似鳴動実行時の画像の表示の終了を指示する。例えば、上記所定の時間は、ユーザが予め設定できる構成としてもよい。
【００２７】
表示制御部３３は、着信処理部３１または疑似鳴動処理部３２の指示に従い、表示部４２に画像を表示させるものである。
【００２８】
着信音制御部３４は、着信処理部３１、疑似鳴動処理部３２または通話処理部（図示せず）の指示に従い、着信音出力部６に着信音、疑似着信音または通話における音声データを出力させるものである。
【００２９】
発信部３５は、着信音出力部６が疑似鳴動を実行している間に、操作部４１が疑似鳴動に応答する操作入力を受け付けると、終了した通話着信の発信元に通話発信を行うものである。
【００３０】
詳細に説明すると、発信部３５は、着信音出力部６が疑似鳴動を実行している間に、操作部４１が疑似鳴動に応答する操作入力を受け付けると、疑似鳴動処理部３２から通話発信の指示を受信する。発信部３５は、該指示に従って、通信部２を介し、終了した通話着信の発信元に通話発信を行う。
【００３１】
通話処理部（図示せず）は通話処理の全般を行う。例えば、通話相手の電話機との音声データの送信を通信部２に指示する。通話処理部はユーザの音声を取得するマイクロフォン等から構成される音声取得部（図示せず）から、音声データを受信する構成であってもよい。この場合、通話処理部は通話相手の電話機から受信した音声データの出力を、着信音制御部３４等を介して、着信音出力部６に指示する構成であってもよい。
【００３２】
タイマ５は、経過時間を測定するものである。本実施の形態では特に、疑似鳴動開始からの経過時間を測定するものである。
【００３３】
着信音出力部６は、着信音を出力するものである。例えば、スピーカー、イヤフォン、ヘッドフォンなどで構成される。
【００３４】
記憶部７は、携帯電話機１が使用する各種データを記憶するものである。記憶部７には、例えば、画像データ、着信音データ、および電話帳データ８等が格納されている。電話帳データ８には、登録者の名前、電話番号、メールアドレスなどが対応付いて記憶されている。また、上述したように、電話帳データ８には、疑似鳴動を行う対象者が登録されている。
【００３５】
なお、本実施形態では、疑似鳴動実行中に、携帯電話機１が疑似鳴動に対応した疑似着信音を出力し、また、疑似鳴動に対応した画像を表示する構成について例示するが、疑似鳴動はこれに限らない。例えば、携帯電話機１は、疑似鳴動に対応した振動パータンで振動する振動部、疑似鳴動に対応した発光パータンで発光する発光部等を備えていてもよい。
【００３６】
〔携帯電話機１の疑似鳴動処理の流れ〕
次に、携帯電話機１によって実行される疑似鳴動処理の流れの一例について、図３を参照して説明する。図３は、携帯電話機１における疑似鳴動処理の流れの一例を示すフローチャートである。図３に示すように、着信処理部３１が通話着信を示す着信信号を受信すると（Ｓ１）、着信音出力部６は、着信鳴動に対応した着信音の出力を開始する。すなわち、着信鳴動が開始する（Ｓ２）。
【００３７】
次に、着信処理部３１が通話着信に応答する操作が入力されたか否かを判断する（Ｓ３）。着信処理部３１は通話着信に応答する操作が入力されていないと判断すると（Ｓ３でＮＯ）、着信信号の受信の継続（すなわち、通話着信が終了したか）を判断する（Ｓ４）。着信処理部３１が着信信号の受信が継続していないと判断すると（すなわち、通話着信が終了したと判断すると）（Ｓ４でＮＯ）、疑似鳴動処理部３２は終了した通話着信の発信元が疑似鳴動処理の対象者であるか否かを判断する（Ｓ５）。疑似鳴動処理部３２が、終了した通話着信の発信元が疑似鳴動処理の対象者であると判断した場合（Ｓ５でＹＥＳ）、着信音出力部６は疑似鳴動に対応した疑似着信音の出力を開始する。すなわち、疑似鳴動を開始する（Ｓ６：鳴動指示ステップ）。上記の構成によれば、予め登録されている発信者の通話着信に限り、疑似鳴動を実行することができる。換言すると、ユーザによって登録されている相手の通話着信に対してのみ疑似鳴動を実行することができる。例えば、ユーザがかけ直しの必要があると考える相手を設定しておくことで、その相手の通話着信にのみ、疑似鳴動を実行させることができる。
【００３８】
次に、疑似鳴動処理部３２は、疑似鳴動が実行されている間に、疑似鳴動に応答する操作を受け付けたか否かを判断する（Ｓ７）。疑似鳴動処理部３２が、疑似鳴動に応答する操作を受け付けたと判断すると（Ｓ７でＹＥＳ）、発信部３５は、終了した通話着信の発信元に通話発信を行う（Ｓ８：発信ステップ）。
【００３９】
次に、通話処理部は、該通話発信に対して、発信先が応答したか否かを判断する（Ｓ９）。通話処理部が該通話発信に応答したと判断すると（Ｓ９でＹＥＳ）、通話処理部は通話処理を開始する（Ｓ１０）。通話終了の操作入力を受け付けると、通話処理部は終話処理を行い（Ｓ１１）、処理が終了する。
【００４０】
なお、着信処理部３１が通話着信に応答する操作が入力されたと判断すると（Ｓ３でＹＥＳ）、ステップＳ１０に移行する。また、着信処理部３１が着信信号の受信が継続していると判断すると（Ｓ４でＹＥＳ）、着信鳴動は継続され（Ｓ１２）、ステップＳ３に戻る。また、疑似鳴動処理部３２が、通話着信の発信元が疑似鳴動処理の対象者でないと判断した場合（Ｓ５でＮＯ）、着信鳴動は終了し（Ｓ１３）、処理が終了する。また、疑似鳴動処理部３２が、疑似鳴動が実行されている間に、疑似鳴動に応答する操作を受け付けていないと判断すると（Ｓ７でＮＯ）、疑似鳴動処理部３２は疑似鳴動の開始から所定の時間が経過したかを判断する（Ｓ１４）。疑似鳴動処理部３２が所定の時間が経過していると判断した場合（Ｓ１４でＮＯ）、ステップＳ７に戻る。疑似鳴動処理部３２が所定の時間が経過していると判断した場合（Ｓ１４でＹＥＳ）、疑似鳴動は終了し（Ｓ１５）、処理が終了する。
【００４１】
なお、携帯電話機１は、疑似鳴動中に通話着信があった場合には、該通話着信に対する着信鳴動を優先して実行し、疑似鳴動に係る処理を終了する構成としてもよい。
【００４２】
〔実施形態２〕
本発明の他の実施形態について、図４および図５に基づいて説明すれば、以下のとおりである。なお、説明の便宜上、前記実施形態にて説明した部材と同じ機能を有する部材については、同じ符号を付記し、その説明を省略する。
【００４３】
〔携帯電話機１ａの構成〕
本実施形態に係る携帯電話機１ａの構成について、図４を参照して説明する。図４は携帯電話機１ａの要部構成を示すブロック図である。携帯電話機１ａは、実施形態１にて説明した携帯電話機１が備えている制御部３に代り、制御部３ａを備えている。また、携帯電話機１ａは、センサ（動き検出部）９を備えている。
【００４４】
センサ９は、携帯電話機１ａの動きを検出するものである。例えば、センサ９はジャイロセンサ、加速度センサ等から構成される。なお、センサ９は携帯電話機１ａの動きを検出できるものであればよく、特に限定はされない。センサ９は検出した携帯電話機１ａの動きを示すデータを後述する疑似鳴動処理部３２ａに送信する。
【００４５】
制御部３ａは、制御部３が備えている疑似鳴動処理部３２に代り、疑似鳴動処理部３２ａを備えている。携帯電話機１ａの通話着信中に、センサ９が携帯電話機１ａの所定の動きを検出すると、疑似鳴動処理部３２ａは疑似鳴動に対応した疑似着信音の出力を着信音出力部６に指示する（すなわち、疑似鳴動を指示する。）。詳細に説明すると、制御部３ａは、制御部３が行う処理に加えて、次の処理を行う。制御部３ａは、センサ９が検出した携帯電話機１ａの動きを示すデータを受信する。制御部３ａは、例えば、センサ９から受信したデータが所定の値以上であるかを判断する。所定の値とは、例えば、ユーザが携帯電話機１ａをカバンなどに入れて歩いている時に検知される値よりも大きい値等としてもよい。
【００４６】
〔携帯電話機１ａの疑似鳴動処理の流れ〕
次に、携帯電話機１ａによって実行される疑似鳴動処理の流れの一例について、図５を参照して説明する。なお、実施形態１で説明した携帯電話機１によって実行される疑似鳴動処理の流れに含まれていると処理と同様であるものについては説明を省略する。
【００４７】
着信処理部３１が着信信号の受信が継続していない、すなわち、通話着信が終了したと判断すると（Ｓ４でＮＯ）、疑似鳴動処理部３２ａは通話着信中に携帯電話機１ａの動きを検出したか否かを判断する（Ｓ２０）。例えば、上記判断は、センサ９から受信したデータが示す値が所定の値以上であるか否かを判断することによって行われる。疑似鳴動処理部３２ａが通話着信中に携帯電話機１ａの動きを検出したと判断すると（Ｓ２０でＹＥＳ）、ステップＳ５に移行する。疑似鳴動処理部３２ａが通話着信中に携帯電話機１ａの動きを検出しなかったと判断すると（Ｓ２０でＮＯ）、処理は終了する。
【００４８】
上記の構成によれば、通話着信中に携帯電話機１ａの動きがあった場合に限り、疑似鳴動を実行することができる。ユーザが通話着信に応答する操作に手間取っている間に着信通話が途絶える場合において、ユーザが通話着信中の携帯電話機１ａに何らかの動きを生じさせていることが想定される。例えば、ユーザが携帯電話機１ａを手に取ることによって携帯電話機１ａに動きが生じる。また、ユーザがカバンの中にある携帯電話機１ａを探すために、カバンの中で手を動かすことによって携帯電話機１ａに動きが生じる。このように、通話着信中に携帯電話機１ａに動きが生じた場合、ユーザは該通話着信に応答する意思がある可能性が高い。よって、上記の構成によれば、ユーザが通話着信に応答する意思がある場合に、疑似鳴動を開始することができる。
【００４９】
〔実施形態３〕
〔ソフトウェアによる実現例〕
携帯電話機１および１ａの制御ブロック（制御部３および３ａ）は、集積回路（ＩＣチップ）等に形成された論理回路（ハードウェア）によって実現してもよいし、ＣＰＵ（Central Processing Unit）を用いてソフトウェアによって実現してもよい。
【００５０】
後者の場合、携帯電話機１および１ａは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００５１】
〔まとめ〕
本発明の態様１に係る携帯電話機（１、１ａ）は、通話着信時に着信鳴動する鳴動部（着信音出力部６）と、操作受付部（操作部４１）とを備えた携帯電話機であって、上記通話着信時に応答せずに、該通話着信が終了したとき、上記着信鳴動に続いて疑似鳴動を上記鳴動部に指示する鳴動指示部（疑似鳴動処理部３２）と、上記鳴動部が上記疑似鳴動を実行している間に、上記操作受付部が操作を受け付けたとき、上記通話着信の発信元に通話発信を行う発信部（３５）と、を備えている。
【００５２】
上記の構成によれば、疑似鳴動を実行している間に、操作受付部が操作を受け付けると、通話着信の発信元に通話発信を行う。そのため、例えば、ユーザが通話着信に応答する意思があっても応答できなかった場合、ユーザは疑似鳴動が実行されている間に簡易な操作を行うだけで、受信が途絶えた通話着信の発信元に対して、容易に電話のかけ直しを行うことができる。
【００５３】
本発明の態様２に係る携帯電話機は、上記態様１において、予め登録されている発信者からの通話着信の場合のみ、上記鳴動指示部は上記疑似鳴動を上記鳴動部に指示してもよい。
【００５４】
上記の構成によれば、予め登録されている発信者の通話着信に限り、疑似鳴動を実行することができる。換言すると、ユーザによって登録されている相手の通話着信に対してのみ疑似鳴動を実行することができる。例えば、ユーザがかけ直しの必要があると考える相手を設定しておくことで、その相手の通話着信にのみ、疑似鳴動を実行させることができる。
【００５５】
本発明の態様３に係る携帯電話機（１ａ）は、上記態様１または２において、自機の動きを検出する動き検出部（センサ９）を備え、上記鳴動指示部（疑似鳴動処理部３２ａ）は、上記通話着信中に、上記検出部が所定の動きを検出したとき、上記疑似鳴動を上記鳴動部に指示してもよい。
【００５６】
上記の構成によれば、通話着信中に携帯電話機の動きがあった場合に限り、疑似鳴動を実行することができる。ユーザが通話着信に応答する操作に手間取っている間に着信通話が途絶える場合において、ユーザが通話着信中の携帯電話機に何らかの動きを生じさせていることが想定される。例えば、ユーザが携帯電話機を手に取ることによって携帯電話機に動きが生じる。また、ユーザがカバンの中にある携帯電話機を探すために、カバンの中で手を動かすことによって携帯電話機に動きが生じる。このように、通話着信中に携帯電話機に動きが生じた場合、ユーザは該通話着信に応答する意思がある可能性が高い。よって、上記の構成によれば、ユーザが通話着信に応答する意思がある場合に、疑似鳴動を開始することができる。
【００５７】
本発明の態様４に係る携帯電話機の制御方法は、通話着信時に着信鳴動する鳴動部と、操作受付部とを備えた携帯電話機の制御方法であって、上記通話着信時に応答せずに、該通話着信が終了したとき、上記着信鳴動に続いて疑似鳴動を上記鳴動部に指示する鳴動指示ステップ（Ｓ６）と、上記鳴動部が上記疑似鳴動を実行している間に、上記操作受付部が操作を受け付けたとき、上記通話着信の発信元に通話発信を行う発信ステップ（Ｓ８）と、を含む。上記の構成によれば、上記態様１と同様の効果を奏する。
【００５８】
本発明の各態様に係る携帯電話機は、コンピュータによって実現してもよく、この場合には、コンピュータを上記携帯電話機が備える各部（ソフトウェア要素）として動作させることにより上記携帯電話機をコンピュータにて実現させる携帯電話機の制御プログラム、およびそれを記録したコンピュータ読み取り可能な記録媒体も、本発明の範疇に入る。
【００５９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６０】
１、１ａ  携帯電話機，６  着信音出力部（鳴動部），９  センサ（動き検出部），３２、３２ａ  疑似鳴動処理部（鳴動指示部），３５  発信部，４１  操作部（操作受付部），Ｓ６  鳴動指示ステップ，Ｓ８  発信ステップ
【図１】
2017038180.tif 000003
【図２】
2017038180.tif 000004
【図３】
2017038180.tif 000005
【図４】
2017038180.tif 000006
【図５】
2017038180.tif 000007